(57)【要約】【課題】移送時において播種位置が変化しない構成とすることで、予め土壌に種子を播種したセット製品の提供を可能とし得ると共に、利用者は水を与えるだけで高い発芽率で植物の生育を鑑賞し得る草花鑑賞用生育体を提供する。【解決手段】植物種子２、２Ａと、植物種子２、２Ａが眠りの状態で播種された乾燥固形状の園芸用土１と、植物種子２、２Ａの播種適正位置を保持する保持手段３とから成ることを特徴とする。【選択図】　　　　　図１
2004113229.tif 000002
【特許請求の範囲】
【請求項１】
植物種子と、植物種子が眠りの状態で播種された乾燥固形状の園芸用土と、植物種子の播種適正位置を保持する保持手段とから成る草花鑑賞用生育体。
【請求項２】
上記保持手段は、種子の播種適正位置を接着固定する水溶性接着剤であることを特徴とする請求項１記載の草花鑑賞用生育体。
【請求項３】
上記保持手段は、種子を被覆して播種適正位置を保持する水溶性フィルム状膜であることを特徴とする請求項１記載の草花鑑賞用生育体。
【請求項４】
上記保持手段は、種子の播種適正位置を接着固定する水溶性接着剤と、この接着剤で固定された種子を被覆する水溶性フィルム状膜とから成ることを特徴とする請求項１記載の草花鑑賞用生育体。
【請求項５】
植物種子と、植物種子が眠りの状態で播種された乾燥固形状の園芸用土と、植物種子の播種適正位置を保持する保持手段と、種子を含む乾燥固形状の園芸用土を密封収容する容器とから成る草花鑑賞用生育体。
【請求項６】
上記容器内に乾燥固形状の園芸用土の移動を阻止する椀状体が配備され、この椀状体の適所にコマーシャルを付設したことを特徴とする請求項５記載の草花鑑賞用生育体。
【発明の詳細な説明】
【０００１】
【発明の属する技術分野】
この発明は、草花などの植物を生育させる母体となる所謂、鑑賞用プランターであって、水を注ぐだけで植物の発芽・生長・開花・結実を楽しむ事ができる草花鑑賞用生育体に関する。
【０００２】
【従来の技術】
従来の鑑賞用プランターは、一般に、園芸用土と植物の種子と鉢容器とが、それぞれ個別に販売されている。
利用者は、購入した園芸用土を鉢容器に入れ、種子を播種する。そして、日々適量の水をやることで発芽・生長・開花（結実）の生育遷移を楽しむ。
【０００３】
【発明が解決しようとする課題】
従来の鑑賞用プランターでは、利用者が園芸用土に植物種子を播種する方式が採用されている。
ところで、種子の播種位置は、その発芽効率等の観点から植物種子によってそれぞれ異なる。例えば、園芸用土の表面に載置状に播くのが発芽効率上、適正とされるもの、或いは園芸用土の適宜深さ位置に配置するのが適正とされるもの等、区々であり素人には困難な作業とされている。
【０００４】
従って、発芽効率の向上や苗の定着率の向上などの見地からは、園芸のプロが園芸用土に予め種子を播種しておくことが理想である。
ところが、通常の園芸土壌に種子を播種しただけでは、購入者がそれを持ち帰る道中の振動等に起因して、種子の播種位置が大きく変化する虞れがあり、理想の実現には至っていない。
【０００５】
この発明は、以上のような課題を解消させ、移送時において播種位置が変化しない構成とすることで、予め土壌に種子を播種したセット製品の提供を可能とし得ると共に、利用者は水を与えるだけで高い発芽率で植物の生育を鑑賞し得る草花鑑賞用生育体を提供することを目的とする。
【０００６】
【課題を解決するための手段】
この目的を達成させるために、この発明の請求項１記載の草花鑑賞用生育体では、次のような構成としている。
草花鑑賞用生育体は、植物種子と、植物種子が眠りの状態で播種された乾燥固形状の園芸用土と、植物種子の播種適正位置を保持する保持手段とから成ることを特徴としている。
【０００７】
このような構成を有する草花鑑賞用生育体では、乾燥固形化した園芸用土を使用し、且つ播種位置保持手段を配備している。
乾燥固形状の園芸用土を使用することで、播種した種子の眠り状態下（発芽阻止状態下）を維持し得、更に保持手段（例えば水溶性接着剤）により播種された種子の適正位置が固定保持される。
【０００８】
従って、例えば園芸のプロが予め播種した発芽効率上、理想的な播種位置が確実に保持され、意に反して種子位置が移動する虞れがない。これにより、従来不可能とされていた園芸用土と種子とのセット販売、すなわち土壌に種子を予め播種した構成のプランター販売が可能となった。
【０００９】
また、利用者は単に乾燥固形園芸用土に水を注入するだけで、乾燥固形園芸用土が通常の土壌に戻り、且つ種子が眠り状態から覚醒する。従って、利用者は高い発芽率で植物の生育遷移を楽しむことができる。
【００１０】
また、請求項５記載の草花鑑賞用生育体では、次のような構成としている。
草花鑑賞用生育体は、植物種子と、植物種子が眠りの状態で播種された乾燥固形状の園芸用土と、植物種子の播種適正位置を保持する保持手段と、乾燥固形状の園芸用土を密封収容する容器とから成ることを特徴としている。
【００１１】
このような構成を有する草花鑑賞用生育体では、乾燥固形状の園芸用土が容器内に密封封入されている。従って、この容器を開封するまでの間、種子の冬眠状態（発芽阻止）が完全に維持される。
【００１２】
また、乾燥固形状の園芸用土を収容する密封容器を開封し、園芸用土を露出させるだけで、容器が即、所謂生育用の鉢となる結果、鑑賞用生育体としての美麗な外観体裁を一層向上し得る。
【００１３】
【発明の実施の形態】
以下、図面に基づき本発明に係る草花鑑賞用生育体の具体的な実施の形態を説明する。
図１は、請求項１乃至請求項４記載の草花鑑賞用生育体を示す斜視図である。この草花鑑賞用生育体は、乾燥固形状の園芸用土１と、この園芸用土１の適正位置に播種される種子２、２Ａと、種子２、２Ａの適正播種位置を固定保持する保持手段３とから構成されている。
【００１４】
乾燥固形状の園芸用土１は、実施の形態では公知のピートモス（Ｐｅａｔ　ｍｏｓｓ）を圧縮固形化し、且つ乾燥したものが使用されている。更に、実施の形態では、乾燥固形状の園芸用土１は所定厚みを有する矩形の板体に成形されている。
【００１５】
また、この乾燥固形状の園芸用土１は、水を注入することで膨潤し通常の土にもどる。更に、この園芸用土１には後述するように、それぞれの種子２、２Ａの発芽好適属性に応じた適正位置に種子２、２Ａが播種されている。
【００１６】
前記保持手段３は、図２の断面図で示すように、乾燥固形状の園芸用土１の表面に配備される。保持手段３は、例えば水溶性接着剤３１を園芸用土１の表面１ａに塗布して構成する。或いは、水溶性フィルム状膜３２を園芸用土１の表面１ａに被覆して構成する。更には、上記水溶性接着剤３１と水溶性フィルム状膜３２とを併用して構成する場合などが適宜実施され得る。
【００１７】
上記水溶性接着剤３は、実施の形態では、公知のポバール（ＰＶＡ）が使用される。更に、実施の形態では水溶性接着剤（ＰＶＡ）の濃度を約２５〜３５重量％に設定することで、種子の十分な接着固定効果と発芽阻止効果との適正化を企図している。また、水溶性フィルム状膜３２は実施の形態では、公知のオブラート（Ｏｂｌａｔｅ）が使用される。
【００１８】
図２は、種子の播種位置と保持手段３との関係を示す断面図である。
種子２は、乾燥固形状の園芸用土１に設けた穴１ｂに配備されることが発芽上、適正である種２ａ、２ｂ、２ｃ（球根）と、園芸用土１の表面１ａに載置状に播種されることが発芽上、適正である種２Ａとの例を示している。
【００１９】
図２においては、乾燥固形状の園芸用土１の表面１ａにポパール３を塗布し、この水溶性接着剤層３１上に種子（土壌表面１ａ上に定位するのが好適な種）２Ａを播種している。この種子２Ａは、接着剤層３１によってその位置が接着固定される。
【００２０】
更に、実施の形態ではオブラート３２を乾燥固形状の園芸用土１の表面１ａ上に被覆している。これにより、種子２Ａはオブラート３２で表面が防護される許かりでなく、定置固定が一層強固となる。
【００２１】
また同時に、オブラート３２が乾燥固形園芸用土１の表面１ａを被覆することで、種子２ａ、２ｂ、２ｃ（球根）が入れられた穴１ｂの開口を閉塞でき、種子の定位置状態が確実に保持され得る。
【００２２】
このような構成を有する草花鑑賞用生育体では、図１及び図２で示すように、乾燥固形化した園芸用土１を使用し、且つ播種位置保持手段３を配備している。
乾燥固形状の園芸用土１を使用することで、播種した種子２、２Ａの眠り状態下（発芽阻止状態下）を維持し得、更に保持手段（ポバール・水溶性接着剤３１並びにオブラート・水溶性フィルム状膜３２）３により播種された種子２、２Ａの適正位置が固定保持される。
【００２３】
従って、例えば園芸のプロが予め播種した発芽効率上、理想的な播種位置が確実に保持され、意に反して種子２、２Ａ位置が移動する虞れがない。これにより、従来不可能とされていた園芸用土と種子とのセット販売、すなわち土壌に種子を予め播種した構成のプランターの提供が可能となった。
【００２４】
また、利用者は単に乾燥固形園芸用土１に水を注入するだけで、乾燥固形状の園芸用土１が通常の土壌に戻り、且つ種子２、２Ａが眠り状態から覚醒する。従って、利用者は高い発芽率で植物の生育遷移を楽しむことができる。
【００２５】
図３は、請求項５記載の草花鑑賞用生育体の具体的な実施の形態を示す斜視図である。
この実施の形態の草花鑑賞用生育体は、乾燥固形状の園芸用土１と、この園芸用土１の適正位置に播種される種子２、２Ａと、種子２、２Ａの適正播種位置を固定保持する保持手段３（３１、３２）と、乾燥固形状の園芸用土１を密封状に収容する容器４とから構成される。
【００２６】
上記構成の乾燥固形状の園芸用土１、種子２、２Ａ、及び保持手段（３１、３２）３は、上記請求項１乃至４の実施の形態で示した構成と同一であるため、ここでの詳細な説明は省略する。
【００２７】
この実施の形態の特徴は、乾燥固形状の園芸用土１が容器４に密封収容されている点にある。容器４は、通気通水を遮断する材料で製される上開口有底の箱であり、上開口が開閉可能にシールされているものが使用される。
【００２８】
実施の形態では、容器４は具体的には図３及び図４で示すように、上開口有底の箱体４１と、この箱体４１を被包するプラスチックフィルム製袋体４２と、この袋体４２の適所に貼着された開封用シート４３とから構成されている。
【００２９】
上記箱体４１は、底面がない上下開口の枠体状であっても良いが、実施の形態では例えば硬質紙製の箱で、僅かに底上げされた底面４１ａを有している。この底面４１ａは、乾燥固形状の園芸用土１より僅かに大きい面積を有し、且つ園芸用土１の最高膨潤高さよりも大なる深さとなるように設定してある。
【００３０】
また、この底板部４１ａには適所に水抜き孔４１ｂが複数形成してある。更に、底板部４１ａ上には乾燥固形状の園芸用土１が載置される。この載置配備に際しては、水溶性接着剤を介して底面４１ａに載置固定される。
【００３１】
上記袋体４２は、実施の形態では、公知のゼオライトフィルムが使用されている。このフィルム状の袋体４２は、前記箱体４１を内装することで、略直方体形状の箱状袋となる。
【００３２】
更に、この箱状袋４２の上面には、図３及び図４で示すように、後述する開封用シート４３により窓穴４２ｃが開設されるミシン目線（切り離し線）４２ｂが付設されている。
【００３３】
前記開封用シート４３は、箱状袋（袋体）４２の上面に貼着してある。開封用シート４３の裏面が窓孔４２ｃ対応位置に接着しており、開封用シート４３と共に切り離し線４２ｂで囲まれる面が切り離され、窓孔４２ｃが開口する。
【００３４】
図５は、容器４の他の実施の形態を示す断面図である。
図３及び図４に示す容器４では、容器（箱体４１）４の上面と、内部に収容する乾燥固形状の園芸用土１上面との間に、大きな空間が開いている。この実施の形態の特徴は、この空間を椀状体５によって充足し、園芸用土１の揺動による毀損を防止する点にある。
【００３５】
椀状体５は、例えば下開口有底の椀体に形成され、容器４内に内装された状態において、底面（天板）５１が箱状袋体４２の上面内面に接面し、且つ下開口周縁部（一周フランジ）５２が園芸用土１の上面外周に接面する。
【００３６】
実施の形態では、図５（仮想線）及び図７の実線で示すように、椀状体５の周壁面５３に美麗な装飾印刷、或いは特定会社のコマーシャル（広告宣伝部）５４が付設されている。
【００３７】
このような構成を有する草花鑑賞用生育体では、容器４により乾燥固形状の園芸用土１の密封状態が維持される。従って、園芸用土１に播種された種子２、２Ａの発芽阻止効果が完全に達成されると共に、種子を含む園芸用土１が外的衝撃から防護される。
【００３８】
図６で示すように、容器４の開封用シート４３を剥がすことで、窓孔４２ｃが開口し密封状態が解除される。そして、窓孔４２ｃから臨出する園芸用土１に水を注入することで、乾燥固定状の園芸用土１が膨潤し通常の土にもどり、種子２、２Ａは眠り状態から覚醒する。
【００３９】
図５及び図７で示すように、容器４の密封状態を開封するとき、内部の椀状体５を取り出す。そして、容器４の底面に配置する。これにより、鑑賞用プランターとしての美麗な外観体裁が一層向上する。
【００４０】
更に、椀状体５は、その周面５３に各種コマーシャル（広告宣伝部）５４が付設してある。従って、利用者が植物生育を長期に亘り遷移を鑑賞する際、自動的に周面５３のコマーシャル５４を目にする結果となる。従って、広告媒体としての高い宣伝効率を発揮し得る。
【００４１】
【発明の効果】
以上のように、請求項１記載の草花鑑賞用生育体では、乾燥固形状の園芸用土に種子を適正位置へ播種し、且つこの播種位置を保持手段で固定することとしたから、移送中に種子が意に反して変位する虞れが解消された。従って、従来不可能であった種子を予め土壌に播種したセット構成のプランターの提供を実現し得た。
【００４２】
また、保持手段により種子は適正位置が固定保持される許かりでなく、被覆されることで適正な眠り状態が保持され、且つ外的衝撃からも防護され得る。
【００４３】
更に、利用者は単に乾燥固形状の園芸用土に水をかけるだけの簡単な作業で、発芽効率高く草花などの植物の生育の遷移を鑑賞し得る。
【００４４】
また、請求項５記載の草花鑑賞用生育体では、種子を適正位置へ播種し、且つこの播種位置を保持手段で固定した乾燥固形状の園芸用土を容器に密封収容することとしたから、眠り状態下にある種子が適正位置で完全に維持され、且つ外部衝撃等から有効に防護される。
【００４５】
更に、容器の適所或いは椀状体の周面にコマーシャルを付設することで、植物生育の長期の遷移を鑑賞する際、利用者にそのコマーシャルが目視される結果、高い宣伝効率が得られる副次的効果がある等、発明目的を達成した優れた効果を有する。
【図面の簡単な説明】
【図１】請求項１に係る草花鑑賞用生育体の具体的な実施の形態を示す斜視図である。
【図２】草花鑑賞用生育体の実施の形態を示す断面図である。
【図３】請求項５に係る草花鑑賞用生育体の具体的な実施の形態を示す斜視図である。
【図４】草花鑑賞用生育体の実施の形態を示す断面図である。
【図５】箱体内に椀状揺動防止体を内装した状態を示す断面図である。
【図６】密封容器を開封し注入された水で乾燥固形状の園芸用土が通常の土に戻った状態を示す斜視図である。
【図７】草花鑑賞用生育体から植物の芽が出た状態を示す説明図である。
【符号の説明】
１　　　乾燥固形状の園芸用土
２　　　種子
２Ａ　　種子
３　　　保持手段
４　　　容器
５　　　椀状体
１ａ　　園芸用土表面
１ｂ　　園芸用土の穴
３１　　水溶性接着剤層
３２　　水溶性フィルム状膜
４１　　上開口有底箱体
４２　　袋状箱体
４３　　開封用シート
【図１】
2004113229.tif 000003
【図２】
2004113229.tif 000004
【図３】
2004113229.tif 000005
【図４】
2004113229.tif 000006
【図５】
2004113229.tif 000007
【図６】
2004113229.tif 000008
【図７】
2004113229.tif 000009